(57)【要約】      （修正有）【課題】ユーザーが希望する口座識別情報を使用した金融取引を可能とし、ユーザーの金融機関利用時の利便性向上を図ると共に、それによって金融機関サービスの顧客吸引力を向上させる金融機関取引処理装置を提供する。【解決手段】装置は、ユーザーが使用を希望する口座識別情報を受け付ける手段と、口座番号と口座識別情報とを対応付けて記憶する記憶手段に、ユーザーが所有する口座に関する口座番号と希望する口座識別情報とを対応付けて登録する手段と、口座識別情報で識別される口座に対し所定の金融取引処理を行うことを要求する金融取引要求を受け付ける手段と、記憶手段において、金融取引要求に含まれる口座識別情報と対応付けて記憶される口座番号を抽出する手段と、抽出された口座番号で識別される口座に対し所定の金融取引処理を行うための処理命令情報を生成する手段と、を有する。【選択図】図２
2018055344.tif 000002
【特許請求の範囲】
【請求項１】
口座を識別する口座番号とは異なる、前記口座を識別するための情報である口座識別情報であって、ユーザーが使用を希望する前記口座識別情報を受け付ける希望ＩＤ受付手段と、
前記口座番号と前記口座識別情報とを対応付けて記憶する口座情報記憶手段に、前記ユーザーが所有する前記口座に関する前記口座番号と前記希望する口座識別情報とを対応付けて登録する口座情報登録手段と、
前記口座識別情報で識別される前記口座に対し所定の金融取引処理を行うことを要求する金融取引要求を受け付ける取引要求受付手段と、
前記口座情報記憶手段において、前記金融取引要求に含まれる前記口座識別情報と対応付けて記憶される前記口座番号を抽出する対応番号抽出手段と、
前記対応番号抽出手段によって抽出された前記口座番号で識別される前記口座に対し前記所定の金融取引処理を行うための処理命令情報を生成する処理命令生成手段と、を有することを特徴とする金融機関取引処理装置。
【請求項２】
前記希望ＩＤ受付手段によって受け付けられた前記希望する口座識別情報が、前記口座情報記憶手段において既に記憶されているか否かを判定する既登録判定手段を有し、
前記口座情報記憶手段において、前記口座番号と前記口座識別情報と同一の該口座識別情報を区別するための第２口座識別情報とが対応付けて記憶され、前記既登録判定手段によって既に記憶されていると判定された場合、
前記口座情報登録手段が、前記口座番号及び前記希望する口座識別情報に対応付けて、既に記憶されている前記希望する口座識別情報に対応付けて記憶される前記第２口座識別情報とは異なる情報を登録し、
前記取引要求受付手段が、前記口座識別情報及び前記第２口座識別情報の組合せで識別される前記口座に対し所定の金融取引処理を行うことを要求する金融取引要求を受け付け、
前記対応番号抽出手段が、前記口座情報記憶手段において、前記金融取引要求に含まれる前記口座識別情報及び前記第２口座識別情報の組合せと対応付けて記憶される前記口座番号を抽出することを特徴とする請求項１に記載の金融機関取引処理装置。
【請求項３】
前記口座番号が、前記口座が開設される支店を識別する支店識別情報を含むことを特徴とする請求項１又は２に記載の金融機関取引処理装置。
【請求項４】
前記金融取引要求に前記口座識別情報が含まれるか否かを判定する特定処理判定手段を有し、
前記特定処理判定手段によって前記口座識別情報が含まれると判定された場合、前記対応番号抽出手段及び前記処理命令生成手段による処理が行われることを特徴とする請求項１乃至３の何れか一に記載の金融機関取引処理装置。
【請求項５】
前記処理命令情報を当該金融機関取引処理装置が実行することを特徴とする請求項１乃至４の何れか一に記載の金融機関取引処理装置。
【請求項６】
他装置に前記処理命令情報を通知し実行させることを特徴とする請求項１乃至４の何れか一に記載の金融機関取引処理装置。
【請求項７】
希望ＩＤ受付手段が、口座を識別する口座番号とは異なる、前記口座を識別するための情報である口座識別情報であって、ユーザーが使用を希望する前記口座識別情報を受け付けるステップと、
口座情報登録手段が、前記口座番号と前記口座識別情報とを対応付けて記憶する口座情報記憶手段に、前記ユーザーが所有する前記口座に関する前記口座番号と前記希望する口座識別情報とを対応付けて登録するステップと、
取引要求受付手段が、前記口座識別情報で識別される前記口座に対し所定の金融取引処理を行うことを要求する金融取引要求を受け付けるステップと、
対応番号抽出手段が、前記口座情報記憶手段において、前記金融取引要求に含まれる前記口座識別情報と対応付けて記憶される前記口座番号を抽出するステップと、
処理命令生成手段が、前記対応番号抽出手段によって抽出された前記口座番号で識別される前記口座に対し前記所定の金融取引処理を行うための処理命令情報を生成するステップと、を含む金融機関取引処理方法。
【請求項８】
既登録判定手段が、前記希望ＩＤ受付手段によって受け付けられた前記希望する口座識別情報が、前記口座情報記憶手段において既に記憶されているか否かを判定するステップを含み、
前記口座情報記憶手段において、前記口座番号と前記口座識別情報と同一の該口座識別情報を区別するための第２口座識別情報とが対応付けて記憶され、前記既登録判定手段によって既に記憶されていると判定された場合、
前記口座情報登録手段が、前記口座番号及び前記希望する口座識別情報に対応付けて、既に記憶されている前記希望する口座識別情報に対応付けて記憶される前記第２口座識別情報とは異なる情報を登録し、
前記取引要求受付手段が、前記口座識別情報及び前記第２口座識別情報の組合せで識別される前記口座に対し所定の金融取引処理を行うことを要求する金融取引要求を受け付け、
前記対応番号抽出手段が、前記口座情報記憶手段において、前記金融取引要求に含まれる前記口座識別情報及び前記第２口座識別情報の組合せと対応付けて記憶される前記口座番号を抽出することを特徴とする請求項７に記載の金融機関取引処理方法。
【請求項９】
前記口座番号が、前記口座が開設される支店を識別する支店識別情報を含むことを特徴とする請求項７又は８に記載の金融機関取引処理方法。
【請求項１０】
特定処理判定手段が、前記金融取引要求に前記口座識別情報が含まれるか否かを判定するステップを含み、
前記特定処理判定手段によって前記口座識別情報が含まれると判定された場合、前記対応番号抽出手段及び前記処理命令生成手段による処理が行われることを特徴とする請求項７乃至９の何れか一に記載の金融機関取引処理方法。
【請求項１１】
前記処理命令情報を当該金融機関取引処理装置が実行することを特徴とする請求７乃至１０の何れか一に記載の金融機関取引処理方法。
【請求項１２】
他装置に前記処理命令情報を通知し実行させることを特徴とする請求項７乃至１０の何れか一に記載の金融機関取引処理方法。
【請求項１３】
コンピュータに、請求項７乃至１２の何れか一に記載の方法を実行させるための金融機関取引処理プログラム。
【発明の詳細な説明】
【技術分野】
【０００１】
金融機関に開設する口座の識別情報として、ユーザーが希望するものを使用できるようにする技術に関する。
【背景技術】
【０００２】
金融機関の口座を利用する取引（以下、単に「金融取引」という場合がある。）には、口座への資金の預け入れ取引、口座からの資金の引き出し取引、口座に預けている資金を他の口座へ移動させる振替取引・振込取引などがある。
【０００３】
上記のような金融機関口座を利用する金融取引において、対象の口座を特定するために口座番号なるものを使用するが、口座番号は口座開設時に自動的に採番され、無味乾燥に所定個数の数字が羅列されたものである。そのため、ユーザーにとって口座番号は、覚え難いものであり、また、第三者へ伝達するときにも、その者に覚えさせることはとても難しい。そういったことに起因して、対象口座の特定ミスが生じたり、金融機関が提供するサービスの魅力を薄れさせたりする。
【０００４】
一方で、近年の金融取引はコンピューターシステムを通じて実現されるものであるが、顧客側又は金融機関側の利便性向上を目的に、金融取引に関連したコンピューターシステムの研究・開発が盛んに行われている。例えば、特許文献１では、親口座、子口座を設け、振込処理における振込人判別の効率化を図る技術が提案され、特許文献２では、特定口座と関連口座を設け、関連口座への取引情報を特定口座へ反映させる技術が提案されている。
【先行技術文献】
【特許文献】
【０００５】
【特許文献１】特開２０００−８２１０１号公報
【特許文献２】特開２０００−１３２６１１号公報
【発明の概要】
【発明が解決しようとする課題】
【０００６】
しかしながら、上記従来技術では、ユーザー自身、又は、ユーザーと取引のある第三者が抱く、処理対象の口座を特定する作業をより簡単に行いたいというニーズを十分に満たすことができないという問題点があった。
【０００７】
そこで本発明では、上記問題点を鑑み、ユーザーが希望する口座識別情報を使用した金融取引を可能とし、ユーザーの金融機関利用時の利便性向上を図ると共に、それによって金融機関サービスの顧客吸引力を向上させる金融機関取引処理装置を提供することを目的とする。
【課題を解決するための手段】
【０００８】
開示する金融機関取引処理装置の一形態は、口座を識別する口座番号とは異なる、前記口座を識別するための情報である口座識別情報であって、ユーザーが使用を希望する前記口座識別情報を受け付ける希望ＩＤ受付手段と、前記口座番号と前記口座識別情報とを対応付けて記憶する口座情報記憶手段に、前記ユーザーが所有する前記口座に関する前記口座番号と前記希望する口座識別情報とを対応付けて登録する口座情報登録手段と、前記口座識別情報で識別される前記口座に対し所定の金融取引処理を行うことを要求する金融取引要求を受け付ける取引要求受付手段と、前記口座情報記憶手段において、前記金融取引要求に含まれる前記口座識別情報と対応付けて記憶される前記口座番号を抽出する対応番号抽出手段と、前記対応番号抽出手段によって抽出された前記口座番号で識別される前記預金口座に対し前記所定の金融取引処理を行うための処理命令情報を生成する処理命令生成手段と、を有することを特徴とする。
【発明の効果】
【０００９】
開示する金融機関取引処理装置は、ユーザーが希望する口座識別情報を使用した金融取引を可能とし、ユーザーの金融機関利用時の利便性向上を図ると共に、それによって金融機関サービスの顧客吸引力を向上させる。
【図面の簡単な説明】
【００１０】
【図１】本実施の形態に係る金融機関取引処理装置の概要を説明する図である。
【図２】本実施の形態に係る金融機関取引処理装置の機能ブロック図である。
【図３】本実施の形態に係る口座識別情報の一例を示す図である。
【図４】本実施の形態に係る口座情報記憶手段に記憶される情報の一例を示す図である。
【図５】本実施の形態に係る口座情報登録手段による処理を説明する図である。
【図６】本実施の形態に係る対応番号抽出手段及び処理命令生成手段による処理を説明する図である。
【図７】本実施の形態に係る金融機関取引処理装置のハードウエア構成例を示す図である。
【図８】本実施の形態に係る金融機関取引処理装置による口座識別情報の登録処理の一例の流れを示すフローチャートである。
【図９】本実施の形態に係る金融機関取引処理装置による取引要請対応処理の一例の流れを示すフローチャートである。
【発明を実施するための形態】
【００１１】
図面を参照しながら、本発明を実施するための形態について説明する。
（本実施の形態に係る金融機関取引処理装置の動作原理）
【００１２】
図１乃至６を用いて、本実施の形態に係る金融機関取引処理装置（以下、単に「本装置」という。）１００の動作原理について説明する。図１は、本装置１００と周辺装置との接続関係を示す図である。
【００１３】
図１で示すように、本装置１００は、通信ネットワーク３１０を介し、ユーザー２９０が操作するユーザー端末３００と接続する。また、後述するように、本装置１００は、金融機関の口座２１０を利用する取引を実行する他装置３２０と接続される形態としても良い。
【００１４】
本装置１００は、大きく分けて２つのフェーズの処理を行う。第１のフェーズでは、ユーザー２９０が希望する口座識別情報２４０を記憶手段１１０に登録する処理を行い、第２のフェーズでは、登録された口座識別情報２４０を含む金融取引要求２７０がなされたときの応答処理を行う。
【００１５】
第１フェーズにおいて、本装置１００は、ユーザー２９０から希望の口座識別情報（数字・文字・記号等の組合せ）２４０を受け付け、利用可否を確認後、ユーザー２９０が所有する口座２１０の口座番号２３０と希望の口座識別情報２４０とを紐付ける。ユーザー２９０は、例えば、自身のビジネスに関係のある覚え易い口座識別情報２４０や、生年月日・携帯電話番号・好きな言葉など一生涯使うことのできる口座識別情報２４０を設定することができる。
【００１６】
第２フェーズにおいて、本装置１００は、登録された口座識別情報２４０を含む金融取引の要請を受けた場合、当該口座識別情報２４０に対応する口座番号２３０を特定し、金融取引の要請について、口座識別情報２４０を特定した口座番号２３０に読み替える処理を行う。
【００１７】
なお、口座識別情報２４０を対応する口座番号２３０に読み替えた金融取引の要請については、本装置１００が処理を実行する形態であっても良く、金融取引処理を担う他装置３２０に当該要請を通知し実行させる形態であっても良い。
【００１８】
上記のような処理を行うことによって、本装置１００は、ユーザー２９０が希望する口座識別情報２４０を使用した金融取引を可能とし、ユーザー２９０の金融機関利用時の利便性向上を図る。また、本装置１００は、それによって金融機関サービスの顧客吸引力を向上させ、顧客の定着率を高めることができる。
【００１９】
図２は、本装置１００の機能ブロック図である。図２で示すように、本装置１００は、口座情報記憶手段１１０、希望ＩＤ受付手段１２０、既登録判定手段１３０、口座情報登録手段１４０、取引要求受付手段１５０、特定処理判定手段１６０、対応番号抽出手段１７０、処理命令生成手段１８０を有する。
【００２０】
口座情報記憶手段１１０は、口座２１０開設時に自動的に採番され、所定個数の数字が羅列されたものである口座番号２３０と、口座番号２３０とは異なる情報であり、口座２１０を識別するための口座識別情報２４０と、を対応付けて記憶する。
【００２１】
なお、口座識別情報２４０とは、口座２１０開設時に自動的に決められる所謂口座番号２３０とは別に定める情報であって、口座２１０を識別するための情報であるが、ユーザー２３０がその内容を決めることができるものである。また、口座識別情報２４０は、数字、文字、記号等を適宜組み合わせたものである一方で、システム設計者が、使用可能な情報に関し適宜制限を設けることもできる。
【００２２】
図３で示すように、口座識別情報２４０は、例えば、法人の名称（「EARNEST BUSINESS SOLUTION」等）、自社（自分）のビジネスに関係するもの（焼き肉店に対し「美味しいお肉」、「０００４１２９」等）、電話番号（「ebs@03-5652-5600」等）とすること等が想定される。
【００２３】
図４で示すように、口座情報記憶手段１１０は、例えば、口座番号２３０：「１２３４５６７」と口座識別情報２４０：「EARNEST BUSINESS SOLUTION」とを対応付けて記憶する。
【００２４】
口座情報記憶手段１１０は、口座番号２３０と、口座識別情報２４０と、同一の口座識別情報２４０を区別するための第２口座識別情報２５０と、を対応付けて記憶する形態としても良い。第２口座識別情報２５０は、複数のユーザー２９０が同一の口座識別情報２４０について使用を希望し、同一の口座識別情報２４０の登録を許容する場合であっても、一の口座２１０を特定するための情報である。
【００２５】
図４で示すように、口座情報記憶手段１１０は、例えば、口座番号２３０：「２３４５６７８」と口座識別情報２４０：「美味しいお肉」と第２口座識別情報２５０：「００１」とを対応付けて記憶する。
【００２６】
口座番号２３０は、口座２１０が開設される支店を識別する支店識別情報２２０を含む形態であっても良く、この場合、支店識別情報２２０と口座番号２３０とを組み合わせた情報で一の口座２１０を特定することになる。
【００２７】
図４で示すように、口座情報記憶手段１１０は、例えば、支店識別情報２２０：「１１０（店番号）」と口座番号２３０：「７６５４３２１」と口座識別情報２４０：「０００４１２９」とを対応付けて記憶する。
【００２８】
希望ＩＤ受付手段１２０は、ユーザー端末３００から、ユーザー２９０が所有する口座２１０の口座番号２３０と、口座２１０を識別するための情報であり、ユーザー２９０が使用を希望する口座識別情報２４０と、を受け付ける。なお、口座識別情報２４０は、口座２１０を識別する口座番号２３０とは異なる情報である。
【００２９】
図３で示すように、希望ＩＤ受付手段１２０は、例えば、使用希望の口座識別情報２４０として、「EARNEST BUSINESS SOLUTION」（法人名称）、焼き肉店に対し「美味しいお肉」・「０００４１２９」（ビジネスの標語）、「ebs@03-5652-5600」（電話番号）等を受け付ける。なお、口座識別情報２４０は、数字、文字、記号等の組み合わせであり、システム設計上制限を設けない限り、どの様な内容でも良い。
【００３０】
既登録判定手段１３０は、希望ＩＤ受付手段１２０が受け付けた口座識別情報２４０について、口座情報記憶手段１１０に同一の口座識別情報２４０が先に登録されていないかどうかを調査する。口座識別情報２４０の重複登録を防止するためである。
【００３１】
既登録判定手段１３０は、口座識別情報２４０のみに着目して、先登録の有無を調査・判定する形態としても良い。既登録判定手段１３０は、支店識別番号２２０及び口座識別情報２４０の組合せに着目して、先登録の有無を調査・判定する形態としても良い。口座２１０の開設される支店が異なる場合、同一の口座識別情報２４０でも許容するものである。
【００３２】
口座情報登録手段１４０は、口座情報記憶手段１１０に、ユーザー２９０が所有する口座２１０の口座番号２３０と希望ＩＤ受付手段１２０が受け付けた口座識別情報２４０とを対応付けて登録する（記憶させる）。
【００３３】
図４で示すように、口座情報登録手段１４０は、口座情報記憶手段１１０に、口座番号２３０：「１２３４５６７」、口座識別情報２４０：「EARNEST BUSINESS SOLUTION」を対応付けて登録する。また、図５（ａ）で示すように、口座情報登録手段１４０は、口座情報記憶手段１１０に、支店識別情報２２０：「小舟町支店又は１０５（店番号）」、口座番号２３０：「１２３４５６７」、口座識別情報２４０：「EARNEST BUSINESS SOLUTION」を対応付けて登録する形態としても良い。
【００３４】
また、図４及び５（ｂ）で示すように、口座情報登録手段１４０は、口座情報記憶手段１１０に、支店識別情報２２０：「１３０（店番号）」、口座番号２３０：「９８７６５４３」、口座識別情報２４０：「０００４１２９」を対応付けて追加登録する。これは、口座２１０の開設される支店が異なる場合、同一の口座識別情報２４０を許容する例である。
また、同一の支店に同一の口座識別情報２４０を許容するために、支店識別情報２２０を採番しても良い。例えば、支店識別情報２２０：「１３０（店番号）」に、既に口座識別情報２４０：「０００４１２９」が登録されていた場合に、未使用の支店識別情報２２０：「９９１（店番号）」を使用し、支店識別情報２２０：「９９１（店番号）」、口座識別情報２４０：「０００４１２９」を、支店識別情報２２０：「１３０（店番号）」、口座番号２３０：「２３７８６５」に対応付けて登録しても良い。
【００３５】
既登録判定手段１３０が同一の口座識別情報２４０について先登録が有ると判定した場合、口座情報登録手段１４０は、口座情報記憶手段１１０に、口座番号２３０と口座識別情報２４０と第２口座識別情報２５０とを対応付けて登録する（記憶させる）形態としても良い。ここで、口座情報登録手段１４０が登録する第２口座識別情報２５０は、口座情報記憶手段１１０において希望ＩＤ受付手段１２０が受け付けた口座識別情報２４０と対応付けて既に（先に）記憶されている第２口座識別情報２５０とは異なる情報である。
【００３６】
図４及び５（ｃ）で示すように、口座情報登録手段１４０は、口座情報記憶手段１１０に、口座番号２３０：「４５６７８９０」、口座識別情報２４０：「美味しいお肉」、第２口座識別情報２５０：「００３」を対応付けて追加登録する。なお、口座情報登録手段１４０は、口座識別情報２４０：「美味しいお肉」に対し、第２口座識別情報２５０「００１」・「００２」が先に登録されているため、先登録の第２口座識別情報２５０とは異なる「００３」を第２口座識別情報２５０として登録する。
【００３７】
なお、既登録判定手段１３０が同一の口座識別情報２４０について先登録が有ると判定した場合、口座情報登録手段１４０が上記の登録処理を行わない形態としても良い。
【００３８】
取引要求受付手段１５０は、ユーザー端末３００から、口座識別情報２４０で識別される口座２１０に対し所定の金融取引処理２６０を行うことを要求する金融取引要求２７０を受け付ける。取引要求受付手段１５０は、ユーザー端末３００から、口座識別情報２４０及び第２口座識別情報２５０の組合せで識別される口座２１０に対し所定の金融取引処理２６０を行うことを要求する金融取引要求２７０を受け付ける形態としても良い。
【００３９】
ここで、金融取引処理２６０とは、口座２１０へ資金を預け入れる預金預入処理、口座２１０から資金を引き出す預金引出処理、一の口座２１０から引き出した資金を他の口座２１０へ移動させる振替処理又は振込処理等を指す。
【００４０】
図６（ａ）左側で示すように、取引要求受付手段１５０は、例えば、口座識別情報２４０：「EARNEST BUSINESS SOLUTION」で識別される口座２１０へ“１０，０００円”を預け入れる取引２６０に係る実行要求２７０を受け付ける。また、取引要求受付手段１５０は、例えば、口座識別情報２４０：「EARNEST BUSINESS SOLUTION」で識別される口座２１０から“１０，０００円”を引き出す取引２６０に係る実行要求２７０を受け付ける。
【００４１】
図６（ｂ）左側で示すように、取引要求受付手段１５０は、例えば、口座識別情報２４０：「美味しいお肉」及び第２口座識別情報２５０：「００１」の組合せで識別される口座２１０から口座番号２３０：「１２３４５６７」へ“１０，０００円”を振り替える取引２６０に係る実行要求２７０を受け付ける。また、取引要求受付手段１５０は、例えば、口座識別情報２４０：「美味しいお肉」及び第２口座識別情報２５０：「００１」の組合せで識別される口座２１０から口座識別情報２４０：「美味しいお肉」及び第２口座識別情報２５０：「００２」の組合せで識別される口座２１０へ“１０，０００円”を振り替える取引２６０に係る実行要求２７０を受け付ける。
【００４２】
図６（ｃ）左側で示すように、取引要求受付手段１５０は、例えば、口座識別情報２４０：「美味しいお肉」及び第２口座識別情報２５０：「００１」の組合せで識別される口座２１０から他行口座２１０へ“１０，０００円”を振り込む取引２６０に係る実行要求２７０を受け付ける。また、取引要求受付手段１５０は、例えば、他行口座２１０から口座識別情報２４０：「美味しいお肉」及び第２口座識別情報２５０：「００１」で識別される口座２１０へ“１０，０００円”を振り込む取引２６０に係る実行要求２７０を受け付ける。
【００４３】
特定処理判定手段１６０は、取引要求受付手段１５０が受け付けた金融取引要求２７０に口座識別情報２４０が含まれるか否かを判定する。特定処理判定手段１６０による判定方法は、ユーザー端末３００からその旨の通知を受け付ける形態、金融取引要求２７０に含まれるその旨を示す情報に基づき判定する形態、金融取引要求２７０に含まれる口座２１０を指定する情報が口座情報記憶手段１１０に記憶されているか否かに基づき判定する形態等が想定されるが、その他の形態であっても良い。特定処理判定手段１６０は、本発明が提案する処理と、従来行われている一般的な金融取引処理と、を区別するための処理を行う。
【００４４】
特定処理判定手段１６０によって、金融取引要求２７０に口座識別情報２４０が含まれると判定された場合に、後述の対応番号抽出手段１７０及び処理命令生成手段１８０による処理が行われる。
【００４５】
対応番号抽出手段１７０は、口座情報記憶手段１１０において、金融取引要求２７０に含まれる口座識別情報２４０と対応付けて記憶される口座番号２３０を抽出する。また、対応番号抽出手段１７０は、口座情報記憶手段１１０において、金融取引要求２７０に含まれる口座識別情報２４０及び第２口座識別情報２５０の組合せと対応付けて記憶される口座番号２３０を抽出する。
【００４６】
図４及び６（ａ）で示すように、対応番号抽出手段１７０は、例えば、口座識別情報２４０：「EARNEST BUSINESS SOLUTION」に対応する口座番号２３０：「１２３４５６７」を抽出する。
【００４７】
図４及び６（ｂ）で示すように、対応番号抽出手段１７０は、例えば、口座識別情報２４０：「美味しいお肉」及び第２口座識別情報２５０：「００１」の組合せに対応する口座番号２３０：「２３４５６７８」を抽出する。
【００４８】
図４及び６（ｂ）で示すように、対応番号抽出手段１７０は、例えば、口座識別情報２４０：「美味しいお肉」及び第２口座識別情報２５０：「００２」の組合せに対応する口座番号２３０：「３４５６７８９」を抽出する。
【００４９】
処理命令生成手段１８０は、取引要求受付手段１５０が受け付けた金融取引要求２７０について、その中に含まれる口座識別情報２４０を、対応番号抽出手段１７０が抽出した口座番号２３０に置き換える処理を行い、処理命令情報２８０を生成する。処理命令生成手段１８０は、取引要求受付手段１５０が受け付けた金融取引要求２７０について、その中に含まれる口座識別情報２４０及び第２口座識別情報２５０を、対応番号抽出手段１７０が抽出した口座番号２３０に置き換える処理を行い、処理命令情報２８０を生成する。
【００５０】
こうすることによって、処理命令生成手段１８０は、対応番号抽出手段１７０によって抽出された口座番号２３０で識別される口座２１０に対し所定の金融取引処理２６０を行うための処理命令情報２８０を生成する。なお、処理命令情報２８０は、金融機関の口座２１０に対する処理を行う装置（システム）に、所定の金融取引処理２６０を実行させるための命令である。
【００５１】
図６（ａ）で示すように、処理命令生成手段１８０は、例えば、口座番号２３０：「１２３４５６７」で識別される口座２１０へ“１０，０００円”を預け入れる取引２６０に係る処理命令情報２８０を生成する。また、処理命令生成手段１８０は、例えば、口座番号２３０：「１２３４５６７」で識別される口座２１０から“１０，０００円”を引き出す取引２６０に係る処理命令情報２８０を生成する。
【００５２】
図６（ｂ）で示すように、処理命令生成手段１８０は、例えば、口座番号２３０：「２３４５６７８」で識別される口座２１０から口座番号２３０：「１２３４５６７」へ“１０，０００円”を振り替える取引２６０に係る処理命令情報２８０を生成する。また、処理命令生成手段１８０は、例えば、口座番号２３０：「２３４５６７８」で識別される口座２１０から口座番号２３０：「３４５６７８９」で識別される口座２１０へ“１０，０００円”を振り替える取引２６０に係る処理命令情報２８０を生成する。
【００５３】
図６（ｃ）で示すように、処理命令生成手段１８０は、例えば、口座番号２３０：「２３４５６７８」で識別される口座２１０から他行口座２１０へ“１０，０００円”を振り込む取引２６０に係る処理命令情報２８０を生成する。また、処理命令生成手段１８０は、例えば、他行口座２１０から口座番号２３０：「２３４５６７８」で識別される口座２１０へ“１０，０００円”を振り込む取引２６０に係る処理命令情報２８０を生成する。
【００５４】
なお、本装置１００が金融機関の預金口座２１０に対する処理を行う装置である場合、本装置１００は、処理命令生成手段１８０が生成した処理命令情報２８０を実行し、処理対象である口座２１０に対する金融取引を完了させる。
【００５５】
一方で、他装置３２０が金融機関の口座２１０に対する処理を行う装置（システム）である場合、本装置１００は、処理命令生成手段１８０が生成した処理命令情報２８０を他装置３２０に通知し実行させ、処理対象である口座２１０に対する金融取引を完了させる。
【００５６】
上記のような処理を行うことによって、本装置１００は、ユーザー２９０が希望する口座識別情報２４０を使用した金融取引を可能とし、ユーザー２９０の金融機関利用時の利便性向上を図る。また、本装置１００は、それによって金融機関サービスの顧客吸引力を向上させ、顧客の定着率を高める。
（本実施の形態に係る金融機関取引処理装置のハードウエア構成）
【００５７】
図７を用いて、本装置１００のハードウエア構成例について説明する。図７は、本装置１００のハードウエア構成の一例を示す図である。図７で示すように、本装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、出力装置４７０、記録媒体Ｉ／Ｆ４８０を有する。
【００５８】
ＣＰＵ４１０は、ＲＯＭ４２０に記憶されたプログラムを実行する装置であり、ＲＡＭ４３０に展開（ロード）されたデータを、プログラムの命令に従って演算処理し、本装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００５９】
補助記憶装置４４０は、基本ソフトウエアであるＯＳ（Operating System）や本実施の形態に係るアプリケーションプログラムなどを、関連するデータとともに記憶する装置である。補助記憶装置４４０は、口座情報記憶手段１１０を含み、例えば、ＨＤＤ（Hard Disc Drive）やフラッシュメモリなどである。
【００６０】
通信Ｉ／Ｆ４５０は、有線・無線ＬＡＮ（Local Area Network）、インターネットなどの通信ネットワークに接続し、通信機能を提供する他装置とデータの授受を行うためのインターフェースである。
【００６１】
入力装置４６０は、キーボードなど本装置１００にデータ入力を行うための装置である。出力装置（表示装置）４７０は、ＬＣＤ（Liquid Crystal Display）等で構成される装置であり、本装置１００が有する機能をユーザーが利用する際や各種設定を行う際のユーザーインターフェースとして機能する装置である。記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００６２】
本装置１００が有する各手段は、ＣＰＵ４１０が、ＲＯＭ４２０又は補助記憶装置４４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、本装置１００に当該プログラムを実行させる形態としても良い。
（本実施の形態に係る金融機関取引処理装置による処理例）
（１）ユーザー２９０希望の口座識別情報２４０を記憶手段１１０に登録する処理
【００６３】
図８を用いて、本装置１００による、ユーザー２９０希望の口座識別情報２４０を記憶手段１１０に登録する処理の流れについて説明する。図８は、本装置１００による口座識別情報登録処理の一例の流れを示すフローチャートである。
【００６４】
Ｓ１０で希望ＩＤ受付手段１２０が、ユーザー端末３００から、ユーザー２９０が所有する口座２１０の口座番号２３０と、口座２１０を識別するための情報であり、ユーザー２９０が使用を希望する口座識別情報２４０と、を受け付ける。
【００６５】
図３で示すように、希望ＩＤ受付手段１２０は、例えば、使用希望の口座識別情報２４０として、「EARNEST BUSINESS SOLUTION」（法人名称）、精肉販売業者・焼き肉店に対し「美味しいお肉」・「０００４１２９」（ビジネスの標語）、「ebs@03-5652-5600」（電話番号）等を受け付ける。なお、口座識別情報２４０は、数字、文字、記号等の組み合わせであり、システム設計上制限を設けない限り、どの様な内容でも良い。
【００６６】
Ｓ２０で既登録判定手段１３０が、Ｓ１０において受け付けた口座識別情報２４０について、口座情報記憶手段１１０に同一の口座識別情報２４０が先に登録されていないかどうかを調査する。口座識別情報２４０の重複登録を防止するためである。
【００６７】
既登録判定手段１３０は、口座識別情報２４０のみに着目して、先登録の有無を調査・判定する形態としても良い。既登録判定手段１３０は、支店識別番号２２０及び口座識別情報２４０の組合せに着目して、先登録の有無を調査・判定する形態としても良い。口座２１０の開設される支店が異なる場合、同一の口座識別情報２４０を許容するものである。
【００６８】
なお、既登録判定手段１３０が同一の口座識別情報２４０について先登録が有ると判定した場合、Ｓ３０における口座識別情報２４０の登録処理を行わない形態としても良い。
【００６９】
Ｓ３０で口座情報登録手段１４０が、口座情報記憶手段１１０に、Ｓ１０において受け付けた口座番号２３０と口座識別情報２４０とを対応付けて登録する（記憶させる）。
【００７０】
図４で示すように、口座情報登録手段１４０は、口座情報記憶手段１１０に、口座番号２３０：「１２３４５６７」、口座識別情報２４０：「EARNEST BUSINESS SOLUTION」を対応付けて登録する。また、図５（ａ）で示すように、口座情報登録手段１４０は、口座情報記憶手段１１０に、支店識別情報２２０：「小舟町支店又は１０５（店番号）」、口座番号２３０：「１２３４５６７」、口座識別情報２４０：「EARNEST BUSINESS SOLUTION」を対応付けて登録する形態としても良い。
【００７１】
また、図４及び５（ｂ）で示すように、口座情報登録手段１４０は、口座情報記憶手段１１０に、支店識別情報２２０：「１３０（店番号）」、口座番号２３０：「９８７６５４３」、口座識別情報２４０：「０００４１２９」を対応付けて追加登録する。これは、預金口座２１０の開設される支店が異なる場合、同一の口座識別情報２４０を許容する例である。
【００７２】
Ｓ２０において既登録判定手段１３０が同一の口座識別情報２４０について先登録が有ると判定した場合、口座情報登録手段１４０は、口座情報記憶手段１１０に、口座番号２３０と口座識別情報２４０と第２口座識別情報２５０とを対応付けて登録する（記憶させる）形態としても良い。
【００７３】
図４及び５（ｃ）で示すように、口座情報登録手段１４０は、口座情報記憶手段１１０に、口座番号２３０：「４５６７８９０」、口座識別情報２４０：「美味しいお肉」、第２口座識別情報２５０：「００３」を対応付けて追加登録する。なお、口座情報登録手段１４０は、口座識別情報２４０：「美味しいお肉」に対し、第２口座識別情報２５０「００１」「００２」が先に登録されているため、先登録の第２口座識別情報２５０とは異なる「００３」を第２口座識別情報２５０として登録する。
【００７４】
上記のような処理によって、本装置１００は、ユーザー２９０が使用を希望する口座識別情報２４０を、ユーザー２９０が所有権を有する預金口座２１０の口座番号２３０と紐付けることができる。
（２）口座識別情報２４０を含む金融取引要求２７０があったときの応答処理
【００７５】
図９を用いて、本装置１００による、口座識別情報２４０を含む金融取引要求２７０があったときの応答処理の流れについて説明する。図９は、本装置１００による金融取引要求応答処理の一例の流れを示すフローチャートである。
【００７６】
Ｓ１１０で取引要求受付手段１５０が、口座識別情報２４０で識別される口座２１０に対し所定の金融取引処理２６０を行うことを要求する金融取引要求２７０を受け付ける。取引要求受付手段１５０は、口座識別情報２４０及び第２口座識別情報２５０の組合せで識別される口座２１０に対し所定の金融取引処理２６０を行うことを要求する金融取引要求２７０を受け付ける形態としても良い。
【００７７】
図６（ａ）左側で示すように、取引要求受付手段１５０は、例えば、口座識別情報２４０：「EARNEST BUSINESS SOLUTION」で識別される口座２１０へ“１０，０００円”を預け入れる取引２６０に係る実行要求２７０を受け付ける。また、取引要求受付手段１５０は、例えば、口座識別情報２４０：「EARNEST BUSINESS SOLUTION」で識別される口座２１０から“１０，０００円”を引き出す取引２６０に係る実行要求２７０を受け付ける。
【００７８】
図６（ｂ）左側で示すように、取引要求受付手段１５０は、例えば、口座識別情報２４０：「美味しいお肉」及び第２口座識別情報２５０：「００１」の組合せで識別される口座２１０から口座番号２３０：「１２３４５６７」へ“１０，０００円”を振り替える取引２６０に係る実行要求２７０を受け付ける。また、取引要求受付手段１５０は、例えば、口座識別情報２４０：「美味しいお肉」及び第２口座識別情報２５０：「００１」の組合せで識別される口座２１０から口座識別情報２４０：「美味しいお肉」及び第２口座識別情報２５０：「００２」の組合せで識別される口座２１０へ“１０，０００円”を振り替える取引２６０に係る実行要求２７０を受け付ける。
【００７９】
図６（ｃ）左側で示すように、取引要求受付手段１５０は、例えば、口座識別情報２４０：「美味しいお肉」及び第２口座識別情報２５０：「００１」の組合せで識別される口座２１０から他行口座２１０へ“１０，０００円”を振り込む取引２６０に係る実行要求２７０を受け付ける。また、取引要求受付手段１５０は、例えば、他行口座２１０から口座識別情報２４０：「美味しいお肉」及び第２口座識別情報２５０：「００１」で識別される口座２１０へ“１０，０００円”を振り込む取引２６０に係る実行要求２７０を受け付ける。
【００８０】
Ｓ１２０で特定処理判定手段１６０が、Ｓ１１０において受け付けた金融取引要求２７０に口座識別情報２４０が含まれるか否かを判定する。特定処理判定手段１６０による判定方法は、ユーザー端末３００からその旨の通知を受け付ける形態、金融取引要求２７０に含まれるその旨を示す情報に基づき判定する形態、金融取引要求２７０に含まれる口座２１０を指定する情報が口座情報記憶手段１１０に記憶されているか否かに基づき判定する形態等が想定されるが、その他の形態であっても良い。
特定処理判定手段１６０によって、金融取引要求２７０に口座識別情報２４０が含まれると判定された場合、Ｓ１３０以降の処理が実行される。
【００８１】
Ｓ１３０で対応番号抽出手段１７０が、口座情報記憶手段１１０において、金融取引要求２７０に含まれる口座識別情報２４０と対応付けて記憶される口座番号２３０を抽出する。また、対応番号抽出手段１７０は、口座情報記憶手段１１０において、金融取引要求２７０に含まれる口座識別情報２４０及び第２口座識別情報２５０の組合せと対応付けて記憶される口座番号２３０を抽出する形態としても良い。
【００８２】
図４及び６（ａ）で示すように、対応番号抽出手段１７０は、例えば、口座識別情報２４０：「EARNEST BUSINESS SOLUTION」に対応する口座番号２３０：「１２３４５６７」を抽出する。
【００８３】
図４及び６（ｂ）で示すように、対応番号抽出手段１７０は、例えば、口座識別情報２４０：「美味しいお肉」及び第２口座識別情報２５０：「００１」の組合せに対応する口座番号２３０：「２３４５６７８」を抽出する。
【００８４】
図４及び６（ｂ）で示すように、対応番号抽出手段１７０は、例えば、口座識別情報２４０：「美味しいお肉」及び第２口座識別情報２５０：「００２」の組合せに対応する口座番号２３０：「３４５６７８９」を抽出する。
【００８５】
Ｓ１４０で処理命令生成手段１８０が、Ｓ１３０において受け付けた金融取引要求２７０について、その中に含まれる口座識別情報２４０を、対応番号抽出手段１７０が抽出した口座番号２３０に置き換える処理を行い、処理命令情報２８０を生成する。処理命令生成手段１８０は、取引要求受付手段１５０が受け付けた金融取引要求２７０について、その中に含まれる口座識別情報２４０及び第２口座識別情報２５０を、対応番号抽出手段１７０が抽出した口座番号２３０に置き換える処理を行い、処理命令情報２８０を生成する形態としても良い。
【００８６】
こうすることによって、処理命令生成手段１８０は、対応番号抽出手段１７０によって抽出された口座番号２３０で識別される預金口座２１０に対し所定の金融取引処理２６０を行うための処理命令情報２８０を生成する。
【００８７】
図６（ａ）で示すように、処理命令生成手段１８０は、例えば、口座番号２３０：「１２３４５６７」で識別される口座２１０へ“１０，０００円”を預け入れる取引２６０に係る処理命令情報２８０を生成する。また、処理命令生成手段１８０は、例えば、口座番号２３０：「１２３４５６７」で識別される口座２１０から“１０，０００円”を引き出す取引２６０に係る処理命令情報２８０を生成する。
【００８８】
図６（ｂ）で示すように、処理命令生成手段１８０は、例えば、口座番号２３０：「２３４５６７８」で識別される口座２１０から口座番号２３０：「１２３４５６７」へ“１０，０００円”を振り替える取引２６０に係る処理命令情報２８０を生成する。また、処理命令生成手段１８０は、例えば、口座番号２３０：「２３４５６７８」で識別される口座２１０から口座番号２３０：「３４５６７８９」で識別される口座２１０へ“１０，０００円”を振り替える取引２６０に係る処理命令情報２８０を生成する。
【００８９】
図６（ｃ）で示すように、処理命令生成手段１８０は、例えば、口座番号２３０：「２３４５６７８」で識別される口座２１０から他行口座２１０へ“１０，０００円”を振り込む取引２６０に係る処理命令情報２８０を生成する。また、処理命令生成手段１８０は、例えば、他行口座２１０から口座番号２３０：「２３４５６７８」で識別される口座２１０へ“１０，０００円”を振り込む取引２６０に係る処理命令情報２８０を生成する。
【００９０】
Ｓ１５０で、本装置１００が金融機関の口座２１０に対する処理を担う装置である場合、本装置１００がＳ１４０において生成された処理命令情報２８０を実行し、処理対象である口座２１０に対する金融取引を完了させる。
【００９１】
Ｓ１５０で、本装置１００以外の他装置３２０が金融機関の口座２１０に対する処理を担う装置（システム）である場合、本装置１００がＳ１４０において生成された処理命令情報２８０を他装置３２０に通知し実行させ、処理対象である口座２１０に対する金融取引を完了させる。
【００９２】
上記のような処理を行うことによって、本装置１００は、ユーザー２９０が希望する口座識別情報２４０を使用した金融取引を可能とし、ユーザー２９０の金融機関利用時の利便性向上を図る。また、本装置１００は、それによって金融機関サービスの顧客吸引力を向上させ、顧客の定着率を高める。
【００９３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００９４】
１００  金融機関取引処理装置
１１０  口座情報記憶手段
１２０  希望ＩＤ受付手段
１３０  既登録判定手段
１４０  口座情報登録手段
１５０  取引要求受付手段
１６０  特定処理判定手段
１７０  対応番号抽出手段
１８０  処理命令生成手段
２１０  口座
２２０  支店識別情報
２３０  口座番号
２４０  口座識別情報
２５０  第２口座識別情報
２６０  所定の金融取引処理
２７０  金融取引要求
２８０  処理命令情報
２９０  ユーザー
３００  ユーザー端末
３１０  通信ネットワーク
３２０  （処理命令情報を実行する）他装置
４１０  ＣＰＵ
４２０  ＲＯＭ
４３０  ＲＡＭ
４４０  補助記憶装置
４５０  通信インターフェース
４６０  入力装置
４７０  出力装置
４８０  記録媒体インターフェース
４９０  記録媒体
【図１】
2018055344.tif 000003
【図２】
2018055344.tif 000004
【図３】
2018055344.tif 000005
【図４】
2018055344.tif 000006
【図５】
2018055344.tif 000007
【図６】
2018055344.tif 000008
【図７】
2018055344.tif 000009
【図８】
2018055344.tif 000010
【図９】
2018055344.tif 000011